(57)【要約】      （修正有）【課題】遠赤外線の放射効果を持ち、しかも人体のツボに刺激を与えることが可能な健康靴敷きシートを提供する。【解決手段】球状などの凸状の遠赤外線を放射するセラミックス粒を、シートの片面または両面に固定保持した、あるいはシート内部に固定保持した、もしくはセラミックス粒の凸部の一部がシート表面からはみ出るように固定保持した。【選択図】図５
0003160881.tif 000002
【実用新案登録請求の範囲】
【請求項１】
球状または半球状、イボ状、楕円体状などの凸状の遠赤外線を放射するセラミックス粒を、シートの片面または両面に、あるいはシート内部に固定保持したことを特徴とする可撓性のシート、もしくはセラミックス粒の凸部の一部がシート表面からはみ出るように固定保持したことを特徴とする可撓性のシート。
【請求項２】
上記シートを靴底の土踏まず部領域に対応する形状に形成した、靴敷きとしての中敷きシート。
【請求項３】
上記シートを、膝、または足首、あるいは手首、肘、腰、肩、首、頭部などの人体の各部位に対応する形状に形成したシート。
【請求項４】
上記の人体の各部位に対応する形状に形成したシートを付加したサポーター、腹巻、腰巻、帽子などの製品。
【考案の詳細な説明】
【考案の詳細な説明】
【技術分野】
【０００１】  本考案は、球状、または半球状、もしくはイボ状、楕円体状などの凸状の遠赤外線を放射するセラミックス粒を設けた人体のツボを刺激することが可能な健康シートに関する。
【背景技術】
【０００２】  遠赤外線を放射するセラミックスを含有、保有した従来の健康シートは、アルミナなどのセラミックスの超微粒子、または微粒子を繊維に練り込んだもの、クロロプレンゴムに練り込んだもの、竹炭を不織布に混入させたもの、化石サンゴを付着させたものなどが主体であった。
【考案の概要】
【考案が解決しようとする課題】
【０００３】  以上に述べた従来の健康シートは、遠赤外線を放射するセラミックス微粒子を繊維やゴムなどに練り込んだり、混入させているために、遠赤外線の放射量が少なく、また人体のツボを刺激することが難しいなどの欠点があった。
【課題を解決するための手段】
【０００４】  本考案は、このような従来の健康シートなどが有していた問題点を解決しようとするものであり、セラミックスの持つ遠赤外線効果とともに、人体のツボを刺激することが可能な健康シートを実現することを目的とするものである。【０００５】  本考案に言うシートとは、使用目的によってマット、またはパッドを含む。マットは布団の下やシーツの下に敷いたりする弾力性のあるものである。パッドは衣服の肩や胸などに入れ体型を整える詰め物、または衝撃などを弱めるために身体や器具に当てるものである。【０００６】  上述の課題を解決するための手段として、球状、または半球状、もしくはイボ状、楕円体状など凸状の遠赤外線を放射するセラミックス粒をシートの片面、または両面に固定保持した、あるいはシート内部に混入固定保持した、もしくは上面に固定保持した可撓性シートを作製する。【０００７】  平均体温が３６．５℃の体温を持った人は、約１０μｍをピークとした８〜１４μｍの波長をからなる電磁波、すなわち遠赤外線を放射している。この波長８〜１４μｍの電磁波からなる遠赤外線を人体に放射すると、約６０〜７０％が水分で構成されている人間の水分子に共鳴運動を起こす。その結果、人体を構成している分子の運動が活発化し、波長が重なり合って分子運動が増幅される共振現象が起こる。共振現象により分子運動が活発になり細胞の活動も活発化して、血行がよくなり新陳代謝も活発になり、身体も暖まる可能性がある。【０００８】  本考案における球状、または半球状、もしくはイボ状、楕円体状などの凸状の丸みを帯びたセラミックス粒は、一般的には粉末を用いて成形後焼結して作製されている。材質的には遠赤外線を放射するものであればよいが、波長８〜１４μｍの波長からなる遠赤外線を放射するものが望ましい。シリカ（ＳｉＯ２）は約９〜１８μｍ、アルミナ（Ａｌ２Ｏ３）は４〜１４μｍ、チタニアは（ＴｉＯ２）５〜１３μｍ、ジルコニア（ＺｒＯ２）は７〜１５μｍ、窒化ケイ素（Ｓｉ３Ｎ４）は３〜１１μｍ、炭化ケイ素は５〜１１μｍからなる遠赤外線を放射すると報告されている。したがって、それらの単独組成のものか、またはシリカ−アルミナ系のムライト（４〜１５μｍ）、ジルコニア−シリカ系のジルコン（３〜１５μｍ）、アルミナ−チタニア系（５〜１１μｍ）などのようにそれらの混合組成のものを用いればよい。また、鉄やマンガンを主体とした遷移金属の酸化物を含む放射率の大きい焼結体などもよい。【０００９】  シートに固定されたセラミックス粒の大きさ、その個数および間隔などは、その使用用途に対応して適宜選択すればよい。【００１０】  シートとしての材質は、一般的に使用されている不織布、布、ポリエチレン、アクリル、ウレタン、ウレタンスポンジやポリプロピレン−ＳＢＲゴムなどの可撓性のあるものがよい。なお、靴敷きとしての中敷きシートに使用する場合は足のムレ防止、脱臭の観点から吸湿性がないもの、あるいは通気性のあるものが望ましい。
【考案を実施するための形態】
【００１１】  本考案の健康シート（使用目的によってマットまたはパッドを含む）を作製する方法には大別して次の２種類がある。まず始めに第一の方法を次に記す。直径が約０．３〜１５ｍｍの球状などの凸状のセラミックス粒を既存の可撓性のシートの片面に、または両面に伸縮性粘着テープなどのテープを用いて固定保持して、または接着剤で接着して、あるいはそれらに開けられた孔にはめ込み固定して加撓性のシートを作製する。もしくは縫製することなどによりシート内部にセラミックス粒を固定保持して可撓性シートを作製する。
第二の方法としては、合成樹脂中に上述の球状などの凸状のセラミックス粒を混入混合し、成形硬化させてセラミックス粒を内部に含む可撓性のシートを作製する。または、樹脂が硬化する前に凸状のセラミックス粒を樹脂表面に埋め込み成形硬化させ、凸部の一部がシート表面からはみ出るように固定保持して、可撓性のプラスチックシートやゴムシートを作製する。あるいは、分散したセラミックス粒を合成樹脂で接合硬化させて可撓性のシートを作製する。この方法では、前者に比べて同面積に多数個のセラミックス粒を容易に固定保持できる利点がある。また、直径の異なるセラミックスボールの固定保持なども容易である。
【００１２】  具体的な実施例としては、図１の平面図および図２の断面図に示すように、まず始めに図中の１に示す既存のアクリルシートを準備する。次に２に示す直径約３〜６ｍｍのアルミナボールを（図では１２個のアルミナボールを用いた場合の例を示す）を、３に示す伸縮性粘着テープなどのテープを用いて、固定保持して可撓性シートを作製した。次に、同様の方法で直径約５ｍｍのジルコニアボールを伸縮性粘着テープでアクリルシートの片面に固定保持して可撓性シートを作製した。
【００１３】  ２枚の布を重ね合わせ、その中に直径約４ｍｍのアルミナボールを入れて縫製し、シートを作製した。
【００１４】  直径約５ｍｍのジルコニアボール、または直径約４ｍｍのアルミナボールをウレタンスポンジに開けられた孔にはめ込み固定保持して、可撓性シートを作製した。
【００１５】  直径約２ｍｍ〜８ｍｍのアルミナボールをウレタン樹脂内部に固定保持するように成形硬化させ、可撓性のウレタンシートを作製した。図３に異径のアルミナボールを含有したシートの断面図を示す。
【００１６】  ウレタン樹脂が硬化する前に、直径約２ｍｍ〜１０ｍｍのアルミナボールの形状の一部がシート上面からはみ出るように樹脂上面に埋め込み成形硬化させて、可撓性のウレタンシートを作製した。このシートの断面図を図４に示す。
【００１７】  上記の可撓性シートを足裏の土踏まず部領域だけに限定した形状に形成して、靴敷用の中敷きシートを作製した。この中敷きシートには直径約５ｍｍまたは６ｍｍのアルミナボール、もしくは直径約５ｍｍのジルコニアボール６〜１２個が伸縮性粘着テープでアクリルシートの片面に固定保持されている。また、直径約２〜１０ｍｍの多数個のセラミックスボールの球状の一部をウレタン樹脂上面からはみ出るように固定保持して作製した可撓性シート（パッドを含む）を土踏まず部の形状に形成して、中敷きシートを作製した。セラミックス粒が固定保持された面を上面として、靴底の土踏まず部分に敷いて使用した。図５には図１の健康シートから形成された中敷きシートを、靴底の土踏まず部分に敷いて使用した状態を示す。同様にスリッパの土踏まず部分にも敷いて使用した。
【００１８】  本考案の健康シートを膝、または足首、あるいは手首、肘、腰、肩、首、頭部などの人体の各部位に対応する形状に形成してシートを作製した。これらのシートを各部位に敷いて使用するか、もしくは、粘着テープ、バンド、幅広ゴム、サポーター、腹巻や腰巻などを用いて人体各部位に直接に当てて、または下着の上から当てて使用した。
【００１９】  上記の人体の各部位に対応する形状に形成されたシートをサポーター、腹巻、腰巻、帽子に縫いつけて、または貼り付けて健康サポーター、健康腹巻、健康腰巻や健康帽子を作製した。
【考案の効果】
【００２０】  本考案による健康シートは、人体の使用した場所に丸みを帯びたセラミックス粒が刺激を与えるとともにその遠赤外線の放射効果により、血行がよくなるなど健康増進に寄与する可能性のあるものである。特に靴敷きとしての土踏まず部領域だけに限定した形状に形成した中敷きシート（パッドを含む）をセラミックス粒が固定保持された面を上面として、土踏まず部分に敷いて使用した場合は、セラミックス粒が足裏の土踏まず部に刺激を与えるとともにその遠赤外線の放射効果により、足裏の土踏まず部の血行がよくなり、新陳代謝も活発になって暖かく感じるようになる特徴を持っている。また、この形状の中敷きシートは足裏の土踏まず部のみを対象にしているため足裏に合わない痛い場所ができるなどの欠点がない。
【００２１】  本考案による人体の各部位に対応する形状に形成された健康シートを膝、または足首、あるいは手首、肘、腰、肩、首、頭部などの人体の各部位に当てて使用した場合、または、これらの健康シートを縫いつけた健康サポーター、腹巻や腰巻などを使用した場合は、使用した各部位に丸みを帯びたセラミックス粒が刺激を与えるとともにその遠赤外線の放射効果により、血行がよくなるなど健康増進に寄与する可能性がある。
【図面の簡単な説明】
【００２２】
【図１】  本考案に係る既存のシート片面にセラミックスボールを固定保持した健康シートの平面図である。
【図２】  同健康シートの断面図である。
【図３】  本考案に係る異径のアルミナボールを含有する健康シートの断面図である。
【図４】  本考案に係るアルミナボールの形状の一部がシート表面からはみ出るように固定保持した健康シートの断面図である。
【図５】  図１の健康シートから土踏まず部の形状に形成された中敷きシートを、靴底に敷いた状況の模式図である。
【符号の説明】
【００２３】１・・・既存のシート
２・・・セラミックスボール
３・・・伸縮性粘着テープ
４・・・合成樹脂
【図１】
0003160881.tif 000003
【図２】
0003160881.tif 000004
【図３】
0003160881.tif 000005
【図４】
0003160881.tif 000006
【図５】
0003160881.tif 000007
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
球状または半球状、イボ状、楕円体状などの凸状の遠赤外線を放射するセラミックス粒を、シートの片面または両面に、あるいはシート内部に固定保持したことを特徴とする可撓性のシート、もしくはセラミックス粒の凸部の一部がシート表面からはみ出るように固定保持したことを特徴とする可撓性のシート。
【請求項２】
請求項１記載のシートを靴底の土踏まず部領域に対応する形状に形成した、靴敷きとしての中敷きシート。
【請求項３】
請求項１記載のシートを、膝、または足首、あるいは手首、肘、腹、腰、背中、肩、首、頭部などの人体の各部位に対応する形状に形成したシート。
【請求項４】
請求項３記載の人体の各部位に対応する形状に形成したシートを付加したサポーター、腹巻、腰バンド、肩パッド、マット、枕、帽子。